(57)【要約】【課題】釣り糸ガイドの軽量化、強度の向上および安定化を図ると共に、釣り竿の強度の向上および安定化を図り、釣り竿の撓みバランスを向上してその性能の向上を図ること。【解決手段】釣り糸を案内する釣り糸案内部１４とこの釣り糸案内部を支える支脚部１６とを有するフレーム１８を備え、この支脚部１６に一体に形成した固定部２０を介してフレームが竿管８に固定される釣り用ガイド１０であって、フレーム１８は、固定部２０を含む少なくとも一部が、強化繊維に合成樹脂を含浸した繊維強化プリプレグを積層形成した積層成形材３０で形成される釣り用ガイド。【選択図】      図１
2010233529.tif 000002
【特許請求の範囲】
【請求項１】
釣り糸を案内する釣り糸案内部とこの釣り糸案内部を支える支脚部とを有するフレームを備え、この支脚部に一体に形成した固定部を介してフレームが竿管に固定される釣り用ガイドであって、
前記フレームは、前記固定部を含む少なくとも一部が、強化繊維に合成樹脂を含浸した繊維強化プリプレグを積層形成した積層成形材で形成されることを特徴とする釣り用ガイド。
【請求項２】
前記積層成形材は、強化繊維を織成した織布層を有することを特徴とする請求項１に記載の釣り用ガイド。
【請求項３】
前記積層成形材は、強化繊維が、固定部の長手方向に対して交差する方向に指向する交差方向繊維層を有することを特徴とする請求項１又は２に記載の釣り用ガイド。
【請求項４】
前記支脚部は、屈曲部を介して前記固定部に一体に形成され、前記固定部は、固定部全長の過半領域にわたって、前記屈曲部よりも強化繊維量を少なくし、又は、低弾性率の強化繊維の割合を多くして、形成したことを特徴とする請求項１から３のいずれか1つに記載の釣り用ガイド。
【請求項５】
前記支脚部は屈曲部により、固定部に対して傾斜させて配置され、この屈曲部は、支脚部と固定部との間に１８０度よりも小さい角度を形成する内側の湾曲面の半径が、１８０度よりも大きい角度を形成する外側の湾曲面の半径よりも大きく形成され、この屈曲部の肉厚が、固定部の長さ方向中間位置における肉厚よりも厚く形成されることを特徴とする請求項１から４のいずれか１つに記載の釣り用ガイド。
【請求項６】
強化繊維に合成樹脂を含浸した繊維強化プリプレグを巻装して形成した竿管の外側に、請求項１から５のいずれか1つに記載の釣り用ガイドの固定部を、この固定部の長手方向を竿管の軸長方向に沿わせて固定した釣り竿であって、
前記固定部は、竿管の軸長方向に対して傾斜方向に配設された強化繊維を、この固定部の強化繊維量の総量の１／２以上含有する積層成形材で形成されることを特徴とする釣り竿。
【請求項７】
前記固定部を形成する積層成形材を、前記竿管の軸長方向強化繊維よりも弾性率が小さい強化繊維で形成し、前記固定部の肉厚を、竿管の肉厚よりも厚く形成したことを特徴とする請求項６に記載の釣り竿。
【請求項８】
前記固定部の少なくとも竿管に当接する側に樹脂層を配置し、この樹脂層を介して固定部を竿管に固定したことを特徴とする請求項６又は７に記載の釣り竿。
【請求項９】
前記固定部の少なくとも竿管に当接する側に、積層成形材の強化繊維を露出させ、この強化繊維が露出する側を竿管に載置して固定したことを特徴とする請求項６から８のいずれか１つに記載の釣り竿。
【発明の詳細な説明】
【技術分野】
【０００１】
本発明は、釣り竿に用いる釣り糸ガイドに関する。
【背景技術】
【０００２】
一般に、釣り糸ガイドは、釣り糸が釣り竿の表面に付着するのを防止するために、間隔をおいて釣り竿の外側に取付けられる。このような釣り糸ガイドには、ガイドリングを金属製のフレームで保持し、このガイドリングを保持する保持部から釣り竿の長手方向に向けて取付足を前後方向に延ばし、これらの取付足を介して釣り竿に固定するものがある（例えば特許文献１参照）。
【先行技術文献】
【特許文献】
【０００３】
【特許文献１】特開２００６−３４０６６１
【発明の概要】
【発明が解決しようとする課題】
【０００４】
従来の釣り糸ガイドは、フレームをステンレス鋼やチタン合金等の金属製の一枚の板材料をプレス加工等で成形した一体構造に形成してあるため、全体に重く、釣り竿に取付ける際に竿管を変形させ、傷つけることもある。更に、保持部から前後に延びる取付足を介して釣り竿に固定するために、釣り糸ガイドを固定した部位の撓み性が阻害される。
【０００５】
このような従来の釣り糸ガイドは、釣り竿の性能を向上する上で障害となっており、その改善が強く望まれている・
本発明は、このような事情に基づいてなされたもので、釣り糸ガイドの軽量化、強度の向上および安定化を図ると共に、釣り竿の強度の向上および安定化を図り、釣り竿の撓みバランスを向上してその性能の向上を図ることを目的とする。
【課題を解決するための手段】
【０００６】
上記目的を達成するため、本発明によると、釣り糸を案内する釣り糸案内部とこの釣り糸案内部を支える支脚部とを有するフレームを備え、この支脚部に一体に形成した固定部を介してフレームが竿管に固定される釣り用ガイドであって、前記フレームは、前記固定部を含む少なくとも一部が、強化繊維に合成樹脂を含浸した繊維強化プリプレグを積層形成した積層成形材で形成される釣り用ガイドが提供される。
【０００７】
前記積層成形材は、強化繊維を織成した織布層を有するものであってもよい。
【０００８】
また、前記積層成形材は、強化繊維が、固定部の長手方向に対して交差する方向に指向する交差方向繊維層を有するものであってもよい。
【０００９】
前記支脚部は、屈曲部を介して前記固定部に一体に形成され、前記固定部は、固定部全長の過半領域にわたって、前記屈曲部よりも強化繊維量を少なくし、又は、低弾性率の強化繊維の割合を多くして、形成することが好ましい。
【００１０】
前記支脚部は屈曲部により、固定部に対して傾斜させて配置され、この屈曲部は、支脚部と固定部との間に１８０度よりも小さい角度を形成する内側の湾曲面の半径が、１８０度よりも大きい角度を形成する外側の湾曲面の半径よりも大きく形成され、この屈曲部の肉厚が、固定部の長さ方向中間位置における肉厚よりも厚く形成されるものであってもよい。
【００１１】
また、強化繊維に合成樹脂を含浸した繊維強化プリプレグを巻装して形成した竿管の外側に、上述のいずれか1つの釣り用ガイドの固定部を、この固定部の長手方向を竿管の軸長方向に沿わせて固定した釣り竿であって、前記固定部は、竿管の軸長方向に対して傾斜方向に配設された強化繊維を、この固定部の強化繊維量の総量の１／２以上含有する積層成形材で形成される釣り竿が提供される。
【００１２】
前記固定部を形成する積層成形材を、前記竿管の軸長方向強化繊維よりも弾性率が小さい強化繊維で形成し、前記固定部の肉厚を、竿管の肉厚よりも厚く形成してもよい。
【００１３】
前記固定部の少なくとも竿管に当接する側に樹脂層を配置し、この樹脂層を介して固定部を竿管に固定することができる。
【００１４】
前記固定部の少なくとも竿管に当接する側に、積層成形材の強化繊維を露出させ、この強化繊維が露出する側を竿管に載置して固定してもよい。
【発明の効果】
【００１５】
本発明の釣り糸ガイドによると、フレームは、竿管に対する固定部を含む少なくとも一部が、強化繊維に合成樹脂を含浸した繊維強化プリプレグを積層して形成した積層成形材で形成されることにより、釣り糸ガイドを軽量化し、強度の向上および安定化を図ることができ、釣り竿の撓み性を阻害することを防止でき、バランスを向上してその性能の向上を図ることができる。
【００１６】
この積層成形材が強化繊維を織成した織布層を有する場合、又は、強化繊維が固定部の長手方向に対して交差する方向に指向する交差方向繊維層を有する場合には、更に効率よく釣り糸ガイドの軽量化と強度の向上および安定化を図り、釣り竿の撓みバランスを向上させることができる。
【００１７】
固定部が全長の過半領域にわたって、支脚部と固定部との間の屈曲部よりも強化繊維量を少なくし、又は、低弾性率の強化繊維の割合を多くして、形成される場合は、フレーム内における屈曲部の相対的な強度向上を図り、釣り糸ガイドの全体の強度および耐久性を向上させることができ、この釣り糸ガイドを取付ける釣り竿の強度、安定化および撓みバランスを向上することができる。
【００１８】
支脚部と固定部との間に形成される屈曲部が、支脚部と固定部との間に１８０度よりも小さい角度を形成する内側の湾曲面の半径を、１８０度よりも大きい角度を形成する外側の湾曲面の半径よりも大きく形成され、この屈曲部の肉厚を、固定部の長さ方向中間位置における肉厚よりも厚く形成される場合にも、フレーム内における屈曲部の相対的な強度向上を図り、釣り糸ガイドの全体の強度および耐久性を向上させることができ、この釣り糸ガイドを取付ける釣り竿の強度、安定化および撓みバランスを向上することができる。
【００１９】
また、このような釣り糸ガイドを釣り竿に取り付け、固定部を、竿管の軸長方向に対して傾斜方向に配設された強化繊維が、この固定部の強化繊維量の総量の１／２以上含有する積層成形材で形成する場合には、釣り用ガイドと釣り竿との双方の強度の向上、安定化が可能となり、釣り竿の撓みバランスを向上することができる。
【００２０】
固定部を形成する積層成形材を、前記竿管の軸長方向強化繊維よりも弾性率が小さい強化繊維で形成し、前記固定部の肉厚を、竿管の肉厚よりも厚く形成する場合には、釣り糸ガイドを取付けた竿管の撓みバランスを向上することができる。
【００２１】
固定部の少なくとも竿管に当接する側に樹脂層を配置し、この樹脂層を介して固定部を竿管に固定する場合には、釣り糸ガイドを取付けた状態の釣り竿の屈曲性を向上すると共に、魚信伝達性の低下を防止することができ、釣り竿の性能を向上することができる。
【００２２】
固定部の少なくとも竿管に当接する側に、積層成形材の強化繊維を露出させ、この強化繊維が露出する側を竿管に載置して固定する場合には、釣り用ガイドから竿管への魚信伝達性の低下を防止して、釣り竿の性能を向上することができる。
【図面の簡単な説明】
【００２３】
【図１】本発明の実施形態による釣り用ガイドの断面図。
【図２】図１の矢印ＩＩ方向に沿う説明図。
【図３】釣り糸ガイドの一部を形成する積層成形体の説明図。
【図４】釣り糸ガイドを製造する一工程の説明図。
【図５】釣り糸ガイドのフレームを形成する一工程の説明図。
【図６】図１の釣り糸ガイドの固定部の拡大図。
【図７】釣り糸ガイドを竿管に取付けた状態の説明図。
【発明を実施するための形態】
【００２４】
図１および図２は、本発明の実施形態による釣り糸ガイド１０を示す
本実施形態の釣り糸ガイド１０は、釣り竿の竿管８の外面に釣り糸が付着するのを防止する外ガイドとして形成してあり、僅かな勾配を形成された竿管８の外周上の所要位置に取付け、例えば糸巻、糸止め、あるいは接着剤等の適宜の固定手段を用いて固定することができる。必要な場合には、適宜の摩擦保持手段により、所要位置に保持し、必要に応じて、前方の穂先側から後方の元側に沿って、竿管８の軸線Ｃと平行な軸方向に前後動し、所要位置に摩擦力で保持するようにしてもよい。
【００２５】
竿管８は通常と同様に、炭素繊維等の強化繊維にエポキシ樹脂等の合成樹脂を含浸した繊維強化プリプレグシートを周方向、軸長方向あるいは軸長方向に対して適宜角度に傾斜した偏向方向に引き揃えて巻回し、これらの複数の繊維層を積層した中空竿管から形成したものでよい。
【００２６】
この竿管８に取付ける釣り糸ガイド１０は、ガイドリング１２を保持する釣り糸案内部１４とこの釣り糸案内部１４を一端側で支える支脚部１６とを有する板状構造のフレーム１８を備える。このフレーム１８は、支脚部１６の他端側に固定部２０を一体に形成してあり、この固定部２０を糸巻や、接着等の固定手段により竿管８の外面上に固定される。
【００２７】
釣り糸案内部１４には、ガイドリング１２を保持する貫通孔１４ａを形成してあり、この貫通孔１４ａを介して保持されるガイドリング１２は、滑らかな円環状の曲面で形成した内面を釣り糸案内面１２ａとして有し、この釣り糸案内面１２ａで囲まれた釣り糸導通孔を通して釣糸を案内する。
【００２８】
図１には、このガイドリング１２は、釣り糸道通孔の中心軸Ｏを竿管８の軸線Ｃとほぼ平行に配向させ、図１の左方に示すように、ロート状に大きく拡径した側の端部１２ｂを魚釣用リール（図示しない）側に向けた状態でフレーム１８で保持された状態で示してある。反対側の端部１２ｃは、端部１２ｂとは反対側に向けて僅かに拡径する。これらの端部１２ｂ，１２ｃの外周側縁部が、釣り糸案内部１４の両側から貫通孔１４ａの周縁部に係合し、抜け止めされている。
【００２９】
このガイドリング１２は、例えばシリコンカーバイト（ＳｉＣ）、アルミナオキサイト、タングステンカーバイト、セラミックあるいは金属等、フレーム１８よりも耐磨耗性に優れた硬質材料で形成するのが好ましい。
【００３０】
このガイドリング１２を保持する釣り糸案内部１４は、外周縁部がガイドリング１２の拡径側の端部１２ｂよりも大径のリング状に形成してあり、貫通孔１４ａにガイドリング１２を嵌合して保持したときに、外周縁部がガイドリング１２の外周側に突出する。これにより、ガイドリング１２の端部１２ｂの半径方向寸法が短いものであっても、このガイドリング１２と共に釣り糸を確実に案内し、支脚部１６により、竿管８の外面から所要距離に配置される。
【００３１】
支脚部１６は、釣り糸案内部１４の外周縁部から滑らかな曲線状に延びる外縁部１６ａを両側に有し、これらの外縁部が固定部２０の両縁部に滑らかに移行する。これにより、釣り糸案内部１４を所要位置に保持するための十分な強度を確保し、更に、釣り糸が引っ掛かり易い角部の形成を防止してある。
【００３２】
この支脚部１６の両外縁部１６ａ間の幅が、所要強度を維持するために必要とする以上に大きい場合には、図２に示すような凹部１６ｂを板厚方向に貫通させて形成してもよい。このような凹部１６ｂは、１つに限らず、複数設けてもよく、また、貫通形成することなく、釣り糸道通孔の中心軸Ｏの軸方向に沿う一方又は双方に凹設させたものでもよい。いずれの場合も、釣り糸が引掛かり易い角部又は凸部の無い滑らかな外面を形成することが好ましい。
【００３３】
この支脚部１６は、釣り糸案内部１４から離隔した端部に固定部２０を一体に形成してあり、この固定部２０を介してこのフレーム１８を竿管８に固定することができる。この固定部２０は、取付けられる竿管８の外径よりも狭い幅寸法を有する板状形状を有し、支脚部１６に対して反対側の裏面２２が竿管８に載置される載置面を形成する。
【００３４】
支脚部１６側の表面２４は、支脚部１６から離隔する自由端側で、この固定部２０の長手方向に沿って次第に竿管８側に湾曲する曲面状に形成してある。また、表面２４は、固定部２０の幅方向に沿って、側縁部２０ａ，２０ａに向けて次第に竿管８側に湾曲する曲面状形状を有してもよい。固定部２０の表面２４をこのような曲面状に形成することにより、竿管８に固定したときに、釣り糸が引掛かり易い角部又は凸部の無い滑らかな外面を形成することができ、また、糸巻き、糸止めが容易となる。
【００３５】
なお、固定部２０の裏面２２は、図２に示すような平坦面に形成することも可能であるが、竿管８の外面に沿う湾曲面で形成してもよい。湾曲面に形成する場合には、載置面が竿管８の外面形状に好適に適合し、竿管８に対する固定力を向上することができる。
【００３６】
このように、固定部２０と釣り糸案内部１４とを連結し、釣り糸案内部１４を所要の向き及び位置に配置する支脚部１６には、固定側屈曲部２６および案内側屈曲部２８を設けてある。これらの屈曲部２６，２８の屈曲角度を調整することで、固定部２０に対する釣り糸案内部１４およびガイドリング１２の姿勢を変更することができる。図１に示すガイドリング１２は、中心軸Ｏを竿管８の軸線Ｃに平行に配置したものであり、これに限らず種々の向きに配向させることができることは明らかである。
【００３７】
支脚部１６の中間部１６ａと固定部２０との間に形成される固定側屈曲部２６の傾斜角度α１は、３０〜９０度の範囲とし、中間部１６ａと釣り糸案内部１４との間に形成される案内側屈曲部２８の傾斜角度α２は、０〜４５度の範囲とし、両傾斜角度を合計した角度すなわち固定部２０に対する釣り糸案内部１４の角度を３０度以上、１００度以下とすることが好ましい。
【００３８】
このように構造を有するフレーム１８は、固定部２０を含む少なくとも一部が強化繊維に合成樹脂を含浸した繊維強化プリプレグを積層して板状形状に形成した積層成形材３０で形成される。フレーム１８の全体を積層成形材３０で形成する場合には、その製造工程が簡略化され、軽量構造に形成することができる。
【００３９】
図３は、強化繊維の引き揃え方向を種々の方向に配向させる積層成形材３０の積層構造例を示す。このような積層成形材３０は、炭素繊維、ガラス繊維等の強化繊維にマトリックス樹脂として、例えばエポキシ樹脂等の熱硬化性樹脂を含浸した複数枚の繊維強化プリプレグを積層することで形成することができ、熱硬化性樹脂に代えて熱可塑性樹脂を用いることもできる。
【００４０】
この積層成形体３０は、厚さ方向の中央に、強化繊維が固定部２０の長手方向に沿う長手方向の繊維強化樹脂層３２を配置し、この上下に、強化繊維を固定部２０の長手方向に対して交差する方向に指向する交差方向の繊維強化樹脂層３４，３６を配置し、これらの交差方向の繊維強化樹脂層の外側に、強化繊維を織成した織布層３８，３８を配置してある。符号Ｍは積層成形体３０の厚さ方向の中立面を示す。
【００４１】
なお、固定部２０は、図１および図２に示すように、竿管８の軸線Ｃに沿って細長い板状形状に形成するだけでなく、例えば竿管８の周方向寸法の方が竿管８の軸長方向よりも長く形成することも可能であり、または、屈曲部２６を滑らかな湾曲状に形成することも可能である。
【００４２】
厚さ方向の中央に配置する長手方向の繊維強化樹脂層３２は、竿管８の撓みバランスを向上し、竿管８と釣り用ガイド１０の強度の向上および安定化を図るため、竿管８の軸長方向の強化繊維の弾性率（引張り弾性率）よりも小さな弾性率（引張り弾性率）を有する強化繊維で形成しすることが好ましい。更に、固定部に配置した強化繊維の大部分（例えば５０％以上又は７０％以上）を、竿管８の軸長方向の強化繊維の弾性率（引張り弾性率）よりも小さな弾性率（引張り弾性率）を有する強化繊維で形成することが好ましい。
【００４３】
この繊維強化樹脂層３２は、竿管８の軸長方向に対して強化繊維を０°±５°（又は０°±１０°）の角度で一方向に引き揃えた繊維強化プリプレグを複数層重ねて形成することが好ましい。
【００４４】
交差方向の繊維強化樹脂層３４は、固定部２０の長手方向に対してそれぞれ２５〜６５度の範囲で、ほぼ４５度が好ましい角度で交差する方向に指向し、かつ、互いに逆方向に配向された内側斜向繊維層３４ａと外側斜向繊維層３４ｂとで形成してある。同様に、長手方向の繊維強化樹脂層３２を挟んで反対側に配置される交差方向の繊維強化樹脂層３６も、固定部２０の長手方向に対してそれぞれ２５〜６５度の範囲で、ほぼ４５度が好ましい角度で交差し、かつ、互いに逆方向に配向された内側斜向繊維層３６ａと外側斜向繊維層３６ｂとを有する。
【００４５】
この繊維強化樹脂層３４，３６の斜向繊維層３４ａ，３４ｂ，３６ａ，３６ｂは、それぞれ竿管８の軸長方向に対して強化繊維を４５°±１５°（又は４５°±３０°）の角度で一方向に引き揃えた繊維強化プリプレグを中央の繊維強化樹脂層３２に重ねて形成することが好ましい。
【００４６】
このような交差方向の繊維強化樹脂層３４，３６を長手方向の繊維強化樹脂層３２の厚さ方向両側に配置することにより、釣り糸ガイド１０の特に固定部１０の軽量化、強度の向上および安定化を図ることができる。
【００４７】
交差方向の繊維強化樹脂層３４，３６及び後述する織布層３８が形成する強化繊維の繊維量は、固定部２０を形成する強化繊維量の全体の半分以上（１／２以上）とすることにより、竿管８に取付けたときに、竿管８の撓みバランスを向上し、応力集中を緩和し、強度の向上を図ることができる。
【００４８】
前記交差方向の繊維強化樹脂層３４，３６の外側に配置する織布層３８は、その強化繊維として、例えば複数の強化繊維からなる繊維束を互いに交差状に織り込んで形成することができる。この織布層３８の織り込み構造として、例えば、２つの方向に延びる繊維束を組合せた二軸織物、または、３つの方向に延びる繊維束を組合せた三軸織物等、種々の織物構造に形成することが可能である。いずれの場合も、織物層３８の主たる繊維又は繊維束の方向が固定部２０の長手方向に対して互いに傾斜し（４５°±１５°又は４５°±３０°の範囲）、長手方向に対して対称的に配置することが好ましい。
【００４９】
この織布層３８は、軸長方向に対してそれぞれ４５°±１５°の角度で延びる強化繊維（繊維束）と軸長方向に対して０°〜７０°の角度で延びる強化繊維（繊維束）とを織り込んで形成した繊維強化プリプレグで形成することができる。この織布層３８を形成する繊維強化プリプレグは、軸長方向の繊維層３２を形成する軸長方向の繊維強化プリプレグに対し、樹脂含有量（ＲＣ：ｗｔ％）を多くしてある。
【００５０】
この織物層３８は、互いに交差する繊維束で形成される編み目の大きさを、支脚部１６の最小幅部分（例えば凹部１６ｂの両側の部位）よりも小さく形成することが好ましい。特に屈曲部２６でこの編み目の大きさを小さくし、固定部２０および釣り糸案内部１４の部位でも同様に小さくするとよい。
【００５１】
このような織物層３８を最外側に配置することにより、外層からの強化繊維の剥離を防止して強度を安定化することができる。
【００５２】
これらの交差方向の繊維強化樹脂層３４，３６を形成する強化繊維は、長手方向の繊維強化樹脂層３２を形成する強化繊維と同様な弾性率を有するものでもよい。
【００５３】
なお、織物層３８の繊維束が３つの方向以上の多数の方向に延びる繊維束を組合せて形成される場合には、長手方向の繊維強化樹脂層３２を省略して、積層成形材３０の繊維強化樹脂層を全て織物層３８で形成することも可能である。
【００５４】
図４から図６は、このような積層成形材３０によるフレーム１８を金型４０，４２を用いて製造する製造工程の概略を示す。
【００５５】
各繊維強化樹脂層３２，３４，３６および織物層３８を形成する繊維強化プリプレグシート（図示しない）を所定形状に切断し、その繊維方向を上述の積層体３０の繊維方向に沿わせて重ね合わせる。積層する繊維強化プリプレグシートの枚数又は層数は、繊維強化プリプレグシートの種類や重ねる条件に応じて任意に調整することができ、例えば一度に積層成形材３０に必要な全体の分を重ね合わせることも可能であるが、複数回に分けることで、各繊維強化プリプレグシート中の強化繊維の動きを少なくした状態で金型４０，４２に高精度でセットすることができる。
【００５６】
金型４０，４２には、互いに対応した凹部４０ａ，４２ａを複数組形成しておくことが好ましい。これらの金型４０，４２には予め離型剤をコーティングしておき、この凹部４０ａ，４２ａに合わせて積層した繊維強化プリプレグシートをセットする。繊維強化プリプレグシートは、予め重ね合わせた状態でセットしてもよく、一枚ずつ順にセットしてもよい。図示の金型４０，４２は、積層成形材３０の中立面Ｍ（図３）を挟んで上下に型割りしているため、下型である金型４０に繊維強化プリプレグシートを載置し、この金型４０の形状に合わせて保持することができる。凹部４０ａを形成する面を水平に配置してもよく、これを傾斜させてもよく、適宜の方向に配置することができる。
【００５７】
繊維強化プリプレグを金型４０にセットした後、上型である金型４２で繊維強化プリプレグを加圧し、金型４０に固定する。このとき、未硬化状態（仮キュア後を含む）の繊維強化プリプレグシートに屈曲部２６，２８を形成し、フレーム１８の形状に相当する形状に保持する。これにより、成形後の内部残留応力の発生を防止でき、強度の向上、安定化を図ることができる。金型４０に対する金型４２の加圧は、手で押圧する他、締付具あるいは押圧具を用いて行うことができる。
【００５８】
加圧する際、屈曲部２６，２８、特に大きな角度で屈曲する屈曲部２６は、固定部２０および支脚部１６等の隣接部よりも相対的に強く圧力を加えて成形することで、屈曲部２６，２８にボイドが発生するのを防止し、強度の向上、安定化を図ることができる。
【００５９】
この後、繊維強化プリプレグシートを加熱硬化し、所定形状に成形した積層成形材３０として金型４０，４２から取り出す。
【００６０】
図５に示すように、金型４０，４２から取り出した積層成形材３０は、帯状の板状体４４として形成されており、フレーム１８に形成する部位を多数連ねた状態に形成される。この板状体４４は、長い帯状形状に限らず、例えばＴ字状またはＹ字状に形成したものであってもよい。また、フレーム１８を形成する部位を同じ方向に配置するだけでなく、交互に逆向きに配置し、または、複数部位をグループ状に配置することもできる。
【００６１】
フレーム１８は、例えばプレス加工、ウォータージェット等の流体の噴出による切出し、エンドミル等の刃具による切出し等の適宜の方法により、この板状体４４からそれぞれ切出し、加工することができる。この板状体４４からそれぞれのフレーム１８を加工する際に、釣り糸案内部１４の貫通孔１４ａおよび支脚部１６の凹部１６ｂを同時に加工することが好ましい。必要な場合には、フレーム１８を切出し加工した後に、貫通孔１４ａおよび凹部１６ｂ等の加工を行ってもよい。
【００６２】
切出したフレーム１８は、必要に応じて、細部の加工を行う。例えば、固定部２０の裏面２２を竿管８の外面に載置しやすいように曲面状に形成し、更に、自由端側の角部を研磨して自由端側の表面２４を曲面状にし、糸巻きや糸止めし易い形状とすることが好ましい。
【００６３】
必要な細部加工を終えた後、バレル研磨により、フレーム１８の表面のバリを除去すると共に、表面に光沢が得られる程度に仕上げ研磨する。この研磨の程度は、釣り糸ガイド１０のサイズ、形状、材質等の特性に応じて調整し、必要な場合には研磨剤を用いる。特に、フレーム１８の表面の一部に強化繊維が露出し、マトリックス樹脂が一部残るように形成することにより、研磨表面の光沢を一層向上することができる。
【００６４】
次に、必要に応じてフレームの全体又は一部に被膜を形成する。例えば、装飾を設けて外観を向上し、フレーム１８を保護するため、塗装してもよく、金属やセラミックスを蒸着することもできる。
【００６５】
固定部２０には、原則として装飾用の表面処理を行う必要は無いが、竿管８との固定強度を向上または安定化するために、積層成形材３０のマトリックス樹脂より軟質の樹脂層を裏面２２にコーティングしてもよく、更に、粒子を混入した塗料をこの裏面２２に塗布しまたは凹凸を形成して粗面化してもよい。更に、滑り止め効果の高い被膜を固定部２０の裏面２２に形成することもできる。
【００６６】
これとは逆に、固定部２０の裏面２２に積層成形材３０の強化繊維を露出させ、この強化繊維が露出した裏面２２を竿管８に載置して固定してもよい。
【００６７】
このように形成したフレーム１８の貫通孔１４ａにガイドリング１２を取付ける。ガイドリング１２は、セラミックス製等の適宜の硬質材で形成することができ、例えば圧入、接着、カーリング等、適宜の方法を用いてガイドリング１２を貫通孔１４ａに取付けることができる。
【００６８】
なお、ガイドリング１２は、表面処理後にフレーム１８に固定することが好ましいが、ガイドリング１８を固定した後に、バレル加工を施すことも可能である。
【００６９】
このように形成されるフレーム１８は、肉厚の等しい板状形状に限らず、その厚さ、強化繊維の量または引張り弾性率を、部位に応じて変化させあるいは調整することができる。この厚さ、強化繊維の量又は引張り弾性率の調整は、板状体４４を形成する際に積層厚さ又は積層する繊維強化プリプレグを種々に変更することで調整することができる。
【００７０】
特に、固定部２０の全長の過半領域にわたって、屈曲部２６よりも強化繊維量を少なくし、又は、低弾性率の強化繊維の割合を多くして形成することにより、フレーム１８内における屈曲部２６，２８の相対的な強度向上を図り、釣り糸ガイド１０の全体の強度および耐久性を向上させることができ、この釣り糸ガイド１０を取付ける釣り竿の強度、安定化および撓みバランスを向上することができる。
【００７１】
図６に示すように、固定部２０側の屈曲部２６は、支脚部１６と固定部２０との間に１８０度よりも小さい角度を形成する内側の湾曲面２６ａの半径が、１８０度よりも大きい角度を形成する外側の湾曲面２６ｂの半径よりも大きく形成され、この屈曲部２６の肉厚ｔ１が、固定部の長さ方向中間位置における肉厚ｔ２よりも厚く形成されている。
【００７２】
これにより、内側の湾曲面２６ａの方が外側の湾曲面２６ｂよりも緩やかに湾曲し、この部位の肉厚が増大し、フレーム１８内の支脚部１６および固定部２２よりも屈曲部２６の相対的な強度向上を図ることができる。したがって、フレーム１８の全体が薄肉化され、釣り糸ガイド１０の全体の強度および耐久性を向上させることができる。この釣り糸ガイド１０を取付ける釣り竿の強度、安定化および撓みバランスを向上することができる。
【００７３】
このように形成した釣り用ガイド１０によると、フレーム１８が、強化繊維に合成樹脂を含浸した繊維強化プリプレグを積層して形成した積層成形材３０で形成されることにより、釣り糸ガイド１０を軽量化し、強度の向上および安定化を図ることができ、釣り竿の撓み性を阻害することなく、バランスを向上してその性能の向上を図ることができる。
【００７４】
必要な場合には、固定部２０のみをこのような積層成形材３０で形成してもよく、この場合にも同様な利点が得られる。
【００７５】
固定部２０の肉厚ｔ２は、屈曲部２６から自由側の端部に向かって徐々に、又は段階的に薄くするとよく、これにより、強化繊維の交差方向配置とこのような肉厚ｔ２２の調整により、釣り竿の撓み性を向上することができると共に、釣り糸ガイド１０の強度の向上、安定化を図ることができる。この肉厚ｔ２は、釣り糸ガイド１０の種類やサイズにもよるが、１，０ｍｍより大きく、２．５ｍｍ以下（又は２．０ｍｍ以下）にすることが好ましい。
【００７６】
図７は、このように形成した釣り用ガイド１０を竿管８固定した状態を示す。
【００７７】
釣り用ガイド１０は、固定部２０の長手方向を竿管８の軸長方向に沿わせた状態で竿管８の外面に載置され、図示しない糸巻部で固定される。
【００７８】
固定部２０の裏面２２に積層成形材３０のマトリックス樹脂より軟質の樹脂層をコーティングした場合には、この樹脂層介して竿管８の外面に載置し竿管８に固定することにより、釣り糸ガイドを取付けた状態の釣り竿の屈曲性を向上すると共に、竿管を保護することができ、釣り竿の性能を向上することができる。
【００７９】
また、粗面化し、滑り止め効果の高い被膜を形成した裏面２２を竿管８の外面に載置する場合には、糸巻による固定力を増大し、釣り糸ガイド１０を確実に保持することができる。
【００８０】
一方、積層成形材３０の強化繊維を露出させた裏面２２を竿管８の外面に載置して固定してもよく、この場合には、釣り用ガイドから竿管への魚信伝達性の低下を防止して、釣り竿の性能を向上することができる。更に、竿管８の強化繊維を外面に露出させ、この部分に固定部２０の裏面２２を当接させて竿管８に固定部２０を固定することもでき、この場合には、積層成形材３０の強化繊維と竿管８の強化繊維とが直接接触することで、魚信の伝達効果を増大することができる。
【００８１】
いずれの場合も、竿管８に直接固定される固定部２０が交差方向の繊維強化樹脂層３４，３６および織布層３８を形成する強化繊維が、竿管８の軸長方向に対して傾斜方向に配置され、固定部２０を形成する強化繊維の全体の半分以上（１／２以上）で形成されていることにより、固定部２０の長手方向における好適な撓み性が得られ、竿管８に取付けたときに、竿管８の撓みバランスを向上し、応力集中を緩和し、強度の向上を図ることができる。
【００８２】
特に、このような釣り用ガイド１０は、竿管８の軸長方向強化繊維に対し、固定部２０の積層成形材３０の強化繊維の引張り弾性率を小さな強化繊維で形成し、この竿管８の肉厚よりも、固定部２０の長手方向中央部における肉厚ｔ２よりも厚く形成することが好ましい。この場合には、釣り糸ガイド１０を取付けた部位で撓み特性の低下を防止でき、竿管８の全長にわたる撓みバランスを向上させることができると共に釣り用ガイドの強度向上、安定化が可能となる。
【００８３】
この釣り用ガイド１０のフレーム１８（特に固定部２０）の合成樹脂含有量（ＲＣ：ｗｔ％）は、竿管８の軸長方向繊維層の合成樹脂含有量に対し、重量で比較したときに、よりも高く、好ましくは１０ｗｔ％以上高くする。更に、１５ｗｔ％以上で３５ｗｔ％以下の範囲で高くするとよい。これにより、竿管８とフレーム１８とのバランスを取り、釣り竿の撓みバランスの向上と釣り用ガイド１０の強度の向上、安定化を図ることができる。
【００８４】
なお、魚釣用リールから離隔するにつれて、釣り糸案内部１４およびガイドリング１２の大きさが小さくなり、竿管８の軸線Ｃとガイドリング１２の中心軸Ｏとの間の距離も小さくなる。
【符号の説明】
【００８５】
１０…釣り用ガイド、１２…ガイドリング、１４…釣り糸案内部、１６…支脚部、１８…フレーム、２０…固定部、３０…積層成形材。
【図１】
2010233529.tif 000003
【図２】
2010233529.tif 000004
【図３】
2010233529.tif 000005
【図４】
2010233529.tif 000006
【図５】
2010233529.tif 000007
【図６】
2010233529.tif 000008
【図７】
2010233529.tif 000009